(57)【要約】【課題】魚釣用電動リールの液晶表示素子の表示画面は、ライトで照明しても、リール本体の輪郭は把握できず、表示視角が狭く表示面の正面から情報を視認しなければならない。【解決手段】魚釣用電動リールの多機能表示装置は、魚釣用電動リールに設けられた外装部材の表面上に、連続で複数に区分された発光領域が帯状に発光する帯状発光部が露呈するように設けられている。搭載される発光制御部は、帯状発光部の区分された発光領域毎に魚釣用電動リールの動作状態に応じて、発光領域が帯状となって、それぞれに点灯又は点滅による異なる発光形態を成すように発光制御する。【選択図】図１
2013013365.tif 000002
【特許請求の範囲】
【請求項１】
魚釣用電動リールに設けられた外装部材と、
前記外装部材の表面上に露呈する、連続で複数に区分された発光領域が帯状に発光する帯状発光部と、
前記区分された発光領域毎に、前記魚釣用電動リールの動作状態に応じて、前記発光領域が帯状となって、それぞれに点灯又は点滅による異なる発光形態を成すように発光制御する発光制御部と、
を具備することを特徴とする魚釣用電動リールの多機能表示装置。
【請求項２】
前記多機能表示装置において、
前記発光制御部による前記発光形態を予めパターン化して記憶する設定テーブルを有することを特徴とする請求項１に記載の魚釣用電動リールの多機能表示装置。
【請求項３】
前記多機能表示装置において、
前記帯状発光部は、前記外装部材の前面に設けられた釣糸を巻上げるための開口の脇から斜め側面を経て、該外装部材の上面後方に至る配置に構成され、前記魚釣用電動リールの輪郭を帯状の光で表示することを特徴とする請求項１に記載の魚釣用電動リールの多機能表示装置。
【請求項４】
前記多機能表示装置において、
前記設定テーブルに記録される複数のパラメータは、釣行を実施する毎に、少なくとも前記魚釣用電動リールにおける直前の棚設定値と、直前の釣行の経過時間に更新されることを特徴とする請求項２に記載の魚釣用電動リールの多機能表示装置。
【請求項５】
前記多機能表示装置において、
前記帯状発光部は、
前記魚釣用電動リールに搭載される電子部品を収納し、一体的に構成され前記外装部材の表面に露呈する前記帯状発光部が設けられ、光束を導光する透明性を有する箱部材と、
前記箱部材内に設けられる光源と、
前記光源が照射した光束を前記箱部材内に導光し、前記帯状発光部まで透過する導光部材と、
を具備することを特徴とする請求項１に記載の魚釣用電動リールの多機能表示装置。
【発明の詳細な説明】
【技術分野】
【０００１】
本発明は、魚釣用電動リールに搭載され、動作状況を光の形態で示す多機能表示装置に関する。
【背景技術】
【０００２】
一般に、魚釣りに用いられている魚釣用電動リール（以下、電動リールと称する）は、電源の投入に伴いリール本体の上面に設けられた液晶表示画面に、電源の通電状態（バッテリー不足等）を含む種々の情報が数字又は、シンボルマーク等により表示されている。また、釣行時には、繰出された釣糸又は道糸の距離や釣行を開始してからの経過時間（所謂、コマセタイム）等も表示される。
【０００３】
従って、ユーザは、必要に応じて画面表示を確認して、各操作部材の操作を行っている。しかしながら、一般的には、表示部としては、単色の液晶表示部を用いているため、朝夕の暗い環境下では、表示を視認しにくい事態となる。そこで、例えば、特許文献１には、液晶表示画面を照明する照明部を備える釣用リールが提案されている。また、蓄光樹脂に作成されたシートを表示部の裏面側に配置する構成も提案されている。
【先行技術文献】
【特許文献】
【０００４】
【特許文献１】特開平０９−０００１２４号公報
【発明の概要】
【発明が解決しようとする課題】
【０００５】
前述した特許文献１は、液晶表示部を発光素子で照明して、表示内容を見やすくしている。通常、単色の液晶表示部は、消費電力が少なく、バッテリー等の携帯小型電源を使用時に好適する。しかし、画面をライトで照明したとしても、表示視角が狭いため、表示面の正面から見ないと表示される情報が見えなかったり、晴天の空模様が映り込んで見づらかったりする事態もある。釣行を行っているユーザの視線は、釣竿に取り付けられたリール本体の表示画面と正対しているとは限らず、側方や斜め後ろに構えて見ている姿勢も多々ある。このようなときは、表示画面をのぞき込むようにして、表示される情報を視認しなければならない。
【０００６】
また、ユーザに情報を伝える手段としては、画面表示だけでは無く、ブザー音等の音による告知手段も備えられている。このような音（音声も含む）による告知は、周囲の環境下に影響され、即ち、雨天時の雨具着用時、波風の音又はエンジン音が大きい場合には、必ずしも有効な告知手段とはならない。
【０００７】
そこで本発明は、リール本体の外装部材の表面に露呈する帯状光表示部を設け、画面表示の情報を点灯形態が変化する照明表示により示し、周囲の環境下に影響されずに告知可能な魚釣用電動リールの多機能表示装置を提供することを目的とする。
【課題を解決するための手段】
【０００８】
上記目的を達成するために、本発明に従う実施形態による魚釣用電動リールの多機能表示装置は、魚釣用電動リールに設けられた外装部材と、前記外装部材の表面上に、連続で複数に区分された発光領域が帯状に発光する帯状発光部と、前記区分された発光領域毎に、前記魚釣用電動リールの動作状態に応じて、前記発光領域が帯状となって、それぞれに点灯又は点滅による異なる発光形態を成すように発光制御する発光制御部と、を具備する。
【発明の効果】
【０００９】
本発明によれば、リール本体の外装部材の表面に露呈する帯状光表示部を設け、画面表示の情報を点灯形態が変化する照明表示により示し、周囲の環境下に影響されずに告知可能な魚釣用電動リールの多機能表示装置を提供することができる。
【図面の簡単な説明】
【００１０】
【図１】図１は、本発明に係る第１の実施形態に係る魚釣用電動リールの上方から見た全体的な外観構成を示す図である。
【図２】図２は、魚釣用電動リールを正面から見た外観構成を示す図である。
【図３】図３は、魚釣用電動リールのブロック構成図を示す図である。
【図４】図４は、多機能表示装置の概念的なブロック構成の一例を示す図である。
【図５】図５は、リール本体内に設けられた多機能表示装置の概略的な構成を示す図である。
【図６】図６は、設定メニューと設定テーブルにおける発光モードの例を示す図である。
【図７】図７は、電動リールの主動作について説明するためのフローチャートである。
【図８】図８は、本実施形態における自動棚取りの発光モードについて説明するためのフローチャートである。
【図９】図９は、本実施形態における自動釣行経過時間発光モードについて説明するためのフローチャートである。
【発明を実施するための形態】
【００１１】
以下、図面を参照して本発明の実施形態について詳細に説明する。  
図１は、本発明の一実施形態に係る魚釣用電動リール（以下、電動リールと称する）を上方から見た全体的な外観構成を示す図である。図２は、電動リールを正面から見た外観構成を示す図である。図３は、電動リールのブロック構成を示す図である。尚、以下の説明でリール本体において、釣糸が繰出される矢印ｍの方向を前方とし、その反対の矢印ｎの方向を後方とする。
【００１２】
電動リール１は、リール本体２として、スプール３に釣糸（又は道糸）を巻取るための駆動モータ（図示せず）を含む駆動機構４が外装部５により覆われている。また、駆動機構４には、スプール３への駆動モータの駆動力の伝達を行うクラッチ機構６が含まれている。さらに、側方の一方には、スプール３を手動で回転させる手巻き用ハンドル７が設けられ、ハンドル７の基部側にはドラグ調整用ノブ８が設けられている。
【００１３】
リール本体２の上面には、液晶表示部９の表示画面９ａが配置され、その後方にはメニュー選択及び各種設定を行うための複数の操作ボタン１０が配置されている。さらに、操作ボタン１０の後方でスプール３の上方には、角度（角度センサ）により釣糸の巻上げ開始・停止及び巻上げ速度を指示するための回動型円筒形状の操作スイッチ１１が設けられている。
【００１４】
また、リール本体２でスプール３を露呈させる窓（開口領域）１２の一方の側端には、クラッチ機構６における駆動力の伝達を行わせるクラッチＯＮボタン（クラッチＯＮ切換部材）１３が設けられる。またリール本体２のスプール３の後方には、押し下げよりクラッチ機構６における駆動力の伝達を遮断するクラッチＯＦＦレバー（クラッチＯＦＦ切換部材）１４が設けられている。クラッチＯＮボタン１３とクラッチＯＦＦレバー１４は、クラッチ機構６に対して相関関係を有し、クラッチＯＦＦレバー１４を押し下げてロックさせた際に、クラッチが切られると共に、クラッチＯＮボタン１３の上部がポップアップして突出される。反対に、突出するクラッチＯＮボタン１３の上部を押し込むと、クラッチが繋がれると共に、クラッチＯＦＦレバー１４が開放されて上方に移動して戻る。尚、クラッチが切られた状態の時に、手動ハンドル７を回してクラッチを繋いだ場合には、クラッチＯＮボタン１３の上部が引き込まれ、クラッチＯＦＦレバー１４が開放されて戻る。
【００１５】
外装部５は、フレーム２０に取着する側面カバー５ａ，５ｂと、前面カバー５ｃとで構成される。上面は、前述した液晶表示部９、操作ボタン１０及び操作スイッチ１１等が設けられた箱形状の部材（箱部材）からなる制御ケース１５が取り付けられている。スプール３の前方で前面カバー５ｃに設けられた釣糸を巻上げるための開口の内部には、スプール３に均一な高さとなるように巻き付けを行うレベルワインド機構１６が設けられている。また、リール本体２の下部には、釣竿に装着するための竿取付部１７が設けられている。
【００１６】
外装部５における側面カバー５ａ，５ｂの外装部材の表面（ここでは、リール本体表面及び外装表面を示唆する）、操作ボタン１０の近傍から前面カバー５ｃに回り込むように、帯状に発光する多機能表示装置の帯状光表示部１８，１９が設けられている。  
これらの帯状光表示部１８（１９）は、複数の情報を発光形態で示すために、３分割された発光領域１８ａ，１８ｂ，１８ｃ（１９ａ，１９ｂ，１９ｃ）によって、レベル表示及び釣糸の移動方向表示等の区分発光を行う。発光色は、所望する単色のみでもよいし、複数色であってもよい。本実施形態では、単色の発光色で発光の有無、点灯及び点滅等の発光形態により後述する情報を表示する。
【００１７】
図３は、電動リール１の構成を示すブロック図である。  
電動リール１は、構成部材として、前述した駆動機構４と、クラッチ機構６と、クラッチＯＮボタン１３と、クラッチＯＦＦレバー１４と、操作ボタン１０と、操作スイッチ１１と、液晶表示部９を備えている。さらに、制御ケース１５には、それぞれの構成部位を駆動制御するための種々のプログラムや設定情報等を記憶する不揮発性固体記録素子：ＲＯＭ（Read Only Memory）２１と、書き換え可能で一時記憶領域として利用する揮発性固体記録素子：ＲＡＭ（Random Access Memory）２２と、リール全体を制御する演算処理デバイス例えば、ＣＰＵ（Central Processing Unit）等からなる制御部２３とを備えている。尚、本実施形態の説明に必要な部材のみを示しており、他にも通常搭載している、例えば、電源部や内部バス等は含まれているものとして、ここでの記載は省略する。
【００１８】
また、駆動機構４に付随するように、スプール３の回転経過からスプール３からの釣糸の繰出し量（引き出された距離）を検知する糸長計測部２４が設けられ、検出信号が制御部２３に入力される。また、本実施形態における多機能表示装置２５と、この表示装置に含まれる前述した帯状光表示部１８，１９とが設けられている。
【００１９】
次に、図４を参照して、多機能表示装置２５の構成について説明する。  
図４は、多機能表示装置２５の概念的なブロック構成の一例を示す図である。図５は、リール本体内に設けられた多機能表示装置２５の図１のＡ−Ａにおける概略的な構成を示す図である。
【００２０】
この多機能表示装置２５は、経過時間を計測するためのタイマカウンタ３１と、後述する設定テーブル３２と、発光制御部３３と、帯状光表示部１８，１９とで構成される。尚、本実施形態では、説明の理解を容易にするために、別部材として説明するが、タイマカウンタ３１と設定テーブル３２と発光制御部３３は、制御部２３とＲＡＭ２２を用いた構成であってもよい。
【００２１】
発光制御部３３は、予め設定されたプログラムに従い、それぞれの帯状光表示部１８、１９に対して、点灯、消灯、点灯時間が可変する点滅、及び発光領域１８ａ，１８ｂ，１８ｃ（１９ａ，１９ｂ，１９ｃ）に対して各領域ごとに個別に点灯又は点滅する制御を行う。タイマカウンタ３１は、発光制御部３３の指示によりカウントを開始し、また指示によりリセットされる。
【００２２】
設定テーブル３２は、予めパターン化して発光形態が記憶されており、釣行毎に更新される又はユーザの設定による複数のパラメータを登録することで、直前の釣行と同じ棚位置及び釣行経過時間等の同じ釣行条件を実現するための設定リストである。これらは、ユーザにより選択及び設定されて実施される。
【００２３】
図５に示すように、多機能表示装置２５は、制御ケース１５内に設けられ、制御ケース１５の上面両端に設けられた帯状光表示部１８，１９から光を発光する。制御ケース１５は、光を透過する樹脂等で形成され、操作ボタン１０を設けられた領域を遮光する表面カバー１５ａにより帯状に発光している。尚、本実施形態では、連続する帯状に発光させているが、これに限定されること無く、不連続な帯状の発光でもよい。さらに、表面カバー１５ａ又は外装部５の遮光形状を変えることにより、帯状発光だけでは無く、連続するドットやマーク等により種々の形態で発光することができる。
【００２４】
本実施形態においては、制御ケース１５内には、６個の例えば、ＬＥＤ等の発光素子からなる光源３４が設けられ、発光制御部３３により点灯、点滅が制御される。また、光源３４から帯状光表示部１８，１９へ光が効率よく導光及び制御ケース１５内に散乱するように、透明部材からなる導光部材３５が設けられている。尚、帯状光表示部１８，１９は、制御ケース１５を形成する透明樹脂の色を選択することにより、種々の色に設定することができる。
【００２５】
また、無色透明な樹脂により制御ケース１５を形成し、任意の発光色の光束を照射する光源を選択してもよい。また、本実施形態では、制御ケース１５により光を導光したが、帯状光表示部１８，１９を個別に作成し、光束を光ファイバーで導光して、不透明材料により制御ケース１５を形成してもよい。また、１つの光源から光ファイバーで６個に分割し、各発光領域１８ａ，１８ｂ，１８ｃ，１９ａ，１９ｂ，１９ｃと光ファイバーの出射口との間に液晶シャッタをそれぞれに設けて、透過、遮光の制御により放光することも可能である。
【００２６】
図６は、設定メニューと設定テーブル３２における発光モード（発光形態）の例を示す図である。  
この例では、帯状光表示部１８，１９は、それぞれ３つの区分発光（分割発光）により、同一又は異なる情報を同時に告知している。図６における発光モードは、帯状光表示部１８（１９）の発光領域１８ａ，１８ｂ，１８ｃ（１９ａ，１９ｂ，１９ｃ）に対して、発光領域毎に点灯又は点滅する。点滅の発光形態は以下のように設定される。尚、これらは一例であり、点灯及び点滅の形態が以下の形態に限定されるものではない。
【００２７】
点滅１：帯状光表示部１８（又は、１９）は、スプール３から引き出された釣糸量（釣糸の長さ）が設定値に近づくに従い、点灯から点滅に切り換えられて、徐々に速い点滅となり、設定値で一旦消灯し、通り過ぎて設定値から離れるに従い、速い点滅から徐々に遅い点滅となり、点灯状態となる。
【００２８】
点滅２：帯状光表示部１８，１９又は、帯状光表示部１９のみが点滅状態となる。  
点滅３：帯状光表示部１８（又は、帯状光表示部１９）が発光領域１８ａ，１８ｂ，１８ｃ（又は、１９ａ，１９ｂ，１９ｃ）の順で、各発光領域ごと順次点灯して、巻上げ動作を表現する。  
点滅４：帯状光表示部１８（又は、帯状光表示部１９）が発光領域１８ｃ，１８ｂ，１８ａ（又は、１９ｃ，１９ｂ，１９ａ）の順で、各発光領域ごと順次点灯して、釣糸繰出し動作を表現する。
【００２９】
・テーブルＮｏ００１は、電源の接続により点灯する発光モードである。  
即ち、電源（船からの外部電源又はバッテリー）が電動リール１に接続された際に、帯状光表示部１８，１９の全発光領域が点灯する。その際に、最初のうちの短時間、例えば１０秒程度は、各発光領域による区分発光により、電源の供給レベルを表示する。例えば、３つの発光領域のうち、既定電圧値（例えば、１２Ｖ以上）を満たしたものは、全発光領域１８ａ，１８ｂ，１８ｃ（１９ａ，１９ｂ，１９ｃ）が点灯し、駆動に不足した電圧値であれば、発光領域１８ｃ，１９ｃのみが点灯する。さらに、駆動不可な電圧値であれば、発光領域１８ｃ，１９ｃを点滅させた後、消灯させてもよい。
【００３０】
・テーブルＮｏ００２は、後述する自動棚取りの表示を示唆する発光モード（点滅１）である。電動リール１から引き出された釣糸量（釣糸の長さ）が棚（距離の設定値）として設定されており、その設定値に近づくと、点灯時間が徐々に変化する点滅を行う発光形態である。
【００３１】
例えば、直前の釣行において、棚が５０ｍに設定されていた場合、釣糸がスプール３から引き出されて、５０ｍに近づくと、その手前（例えば、５ｍ手前）から帯状光表示部１８が点灯から点滅に変化して、５０ｍに近づくほど点滅が速くなり、５０ｍで一端消灯し、５０ｍを過ぎると、再度、速い点滅から徐々に遅くなる点滅に変化する。帯状光表示部１８が消灯した時点でクラッチＯＮボタン１３を押下する、又は手動ハンドル７を回してクラッチを繋いでスプール３を停止させると、前回と同じ距離の海面からの棚取りが完了する。つまり、表示画面に表示される釣糸カウント値や棚設定表示を見なくとも前回の棚で停止させている。
【００３２】
尚、海底からの棚取りの場合には、設定された棚は通り過ぎているため、底着時は点灯状態となっている。しかし、海底から釣糸の巻上げにより、棚の設定値に近づくと、点滅が開始され、設定された棚位置で帯状光表示部１８が一旦、消灯する。この消灯時で巻上げ動作を停止すれば、棚取りが完了する。その後、消灯が点灯に切り換えられて、その点灯状態を保持する。尚、コマセ釣り等では、帯状光表示部１８が消灯してから数メートル釣糸が繰出された後、巻上げて棚取りする場合もあるが、底からの棚取りと同様である。この時のクラッチの繋ぎ位置は、点滅の変化状態を利用してもよい。例えば、点滅から点灯に戻る位置が５ｍ行き過ぎた位置であることを利用する。
【００３３】
本実施形態の発光モードにおいては、帯状光表示部１８のみが棚取り発光モード（点滅１）であり、帯状光表示部１９は、後述する釣糸繰出し発光モードが設定されていた場合には、後述する点滅３の発光を行う。釣糸繰出し発光モードが設定されていない場合には、帯状光表示部１９は点灯状態を維持してもよいし、棚取り発光モード（点滅１）の発光のいずれであってもよい。
【００３４】
・テーブルＮｏ００３は、後述する手動棚取りの表示を示唆する発光モードであり、自動棚取りの発光モードと同一である。この発光モードにおいては、自動棚取りの発光モードと区別するために、帯状光表示部１９のみが棚取り発光モード（点滅１）となり、前述したと同様に、帯状光表示部１８が点灯状態又は、点滅３の発光を行う。
【００３５】
・テーブルＮｏ００４は、後述する自動釣行経過時間の表示を示唆する発光モードである。前述した釣糸の棚取りが完了すると、タイマカウンタ３１が計時を開始する。このとき、帯状光表示部１８，１９の全発光領域が点灯状態となっている。タイマカウンタのカウント値が設定されている前回の釣行時の経過時間を超過したときに、全発光領域が点滅状態となる。この点滅表示は、付けえさの交換を示唆し、コマセ釣りであれば、ユーザにコマセの交換タイミングを示唆する。
【００３６】
・テーブルＮｏ００５は、後述する手動釣行経過時間の表示を示唆する発光モードであり、自動釣行経過時間の表示の発光モードと同一である。但し、自動釣行経過時間の設定と区別するために、帯状光表示部１９のみが点滅して経過時間の設定超過を示唆し、帯状光表示部１８は点灯状態を維持する。
【００３７】
・テーブルＮｏ００６は、釣糸の巻上げ状態を示唆する発光モードである。  
ユーザがスプール３の上方に設けられた操作スイッチ１１を操作して、又はハンドル７を回転させて、釣糸の巻上げを開始すると、点灯していた帯状光表示部１８の各発光領域１８ａ，１８ｂ，１８ｃが巻上げを示唆する区分発光を行う。即ち、３つの発光領域が１８ａ、１８ｂ、１８ｃの順で１つずつ発光領域が移動するように繰り返し発光する。従って、ユーザの目には、リール本体の前側（竿側）から手元側（プーリ側）に光が流れ込むように表示されるため、ユーザが巻上げ動作を視認できる。
【００３８】
さらに、スプールの回転速度（巻上げ速度）と、発光する発光領域の移動速度を関連づけて可変させることにより、光の移動速度で巻上げ速度を表現することも容易に実現できる。尚、巻上げが完了して、スプール３が停止した後は、点滅状態から点灯状態に変化する。手動設定時の帯状光表示部１９においても同等の表示を行う。
【００３９】
この発光モードにおいては、自動棚取り及び自動釣行経過時間の発光モードが設定されていた場合、いずれも帯状光表示部１８が点滅による示唆を行い、帯状光表示部１９は、点灯状態となる。反対に、手動棚取り及び手動釣行経過時間の発光モードが設定されていた場合、帯状光表示部１９が点滅による示唆を行い、帯状光表示部１８は、点灯状態となる。
【００４０】
・テーブルＮｏ００７は、釣糸の繰出し状態を示唆する発光モードである。  
釣行を開始する際に、クラッチＯＦＦレバー１４を押し下げてクラッチを切ると、フリー状態となったスプール３から釣糸が引き出されて、釣糸の繰出しが開始する。この時、点灯していた帯状光表示部１９の各発光領域１９ｃ，１９ｂ，１９ａが繰出しを示唆する点滅４の区分発光を行う。即ち、３つの発光領域１９ｃ，１９ｂ，１９ａの順で１つの発光領域のみが繰り返し発光する。
【００４１】
従って、ユーザの目には、リール本体の手元側（プーリ側）から前側（竿側）に光が流れ出るように表示されるため、ユーザが繰出し動作を視認できる。尚、ハンドル７を回転させてクラッチを入れ、スプール３を停止させた場合又は、仕掛けが着底して、スプール３が停止した後は、点滅３から点灯状態に変化する。手動設定時の帯状光表示部１９においても同等の表示を行う。
【００４２】
図７に示すフローチャートを参照して、電動リールの主動作について説明する。  
まず、電動リール１に電源（携帯バッテリー）を接続すると（ステップＳ１）、電動リールの各構成部が起動して初期化が行われると共に、帯状光表示部１８，１９の全発光領域が点灯する（ステップＳ２）。この点灯時に、最初の例えば１０秒程度は、各発光領域による区分発光により、電源の供給レベルを表示する。
【００４３】
次に、ユーザによりメニュー表示を選択され、設定条件の変更が指示されたか否かを判断する（ステップＳ３）。この判断で、メニュー表示が選択された場合には（ＹＥＳ）、その設定項目が表示され、指示された内容に設定変更される（ステップＳ４）。メニュー表示が選択されなかった場合には（ＮＯ）、そのまま、表示画面９ａが釣行モードの表示に移行する（ステップＳ５）。ここで、釣行モードの表示とは、少なくとも繰出された釣糸量（距離表示）、電源の供給状態（又は、バッテリー残量）、巻上げ速度表示等が表示されている。釣行を行った後、電源をＯＦＦして釣行の終了が指示されたか否か判断し（ステップＳ６）、釣行の終了が指示（電源ケーブルを外す）された場合には、電源ＯＦＦとなる。
【００４４】
次に、図８に示すフローチャートを参照して、本実施形態における自動棚取りの発光モードについて説明する。  
まず、表示画面９ａに表示されたメニュー画面にて、自動棚取りの発光モードを選択すると、以前に行った釣行の棚設定値がクリアされて、初期設定される（ステップＳ１１）。次に、直前の棚設定値（第１のパラメータ）の有無を判断する（ステップＳ１２）。このステップＳ１２において、今回の釣行における初回の釣行時には、釣行の棚設定値は設定されていない。
【００４５】
釣行を開始するために、クラッチＯＦＦレバー１４を押し下げてクラッチが切られると、フリー状態となったスプール３から釣糸が引き出される。この時、釣糸の繰出しが開始されたか否か判断する（ステップＳ１３）。次に、ハンドル７等の回転によりクラッチがＯＮされて、釣糸の繰出しが停止した後、タイマカウンタ３１によるカウントが開始される（ステップＳ１４）。その後、カウントされた時間が予め設定された設定時間を超過したか否かを判断し（ステップＳ１５）、超過した際に、棚取りが終了したものと見なして、発光制御部３３の図示しないメモリに仮の棚設定値として一時的に記憶する（ステップＳ１６）。
【００４６】
次に、釣行の継続により、表示画面９ａに表示された繰り出された釣糸量（距離カウント値）の数値に変更があったか否かを判断し（ステップＳ１８）、変更があった場合には（ＹＥＳ）、ステップＳ１６に移行して、発光制御部３３のメモリに棚設定値を再設定する。その後、操作スイッチ１１又はハンドル７の回転により、釣糸の巻上げ動作が開始されたか否かを判断する（ステップＳ１８）。この巻上げ開始の判断は、例えば、連続的に設定された距離（例えば、棚設定値の半分の距離）が巻上げられた場合には、巻上げ動作が行われていると判断し（ＹＥＳ）、直前に発光制御部３３のメモリに設定されている直前の棚設定値（最新の棚設定値）を設定テーブルに第１のパラメータとして書き込み、テーブルの更新を行う（ステップＳ１９）。ここでの釣糸の巻上げは、繰出された釣糸をスプール３に完全に巻戻すことを示唆する。釣糸の巻上げが継続され（ステップＳ２０）、釣糸の巻上げが完了した場合には、ステップＳ１２に戻る。
【００４７】
２回目以降の釣行においては、ステップＳ１２において、直前の棚設定値があるか否かを判断し、棚設定値があった場合に（ＹＥＳ）、釣糸が繰出されたか否かを判断し（ステップＳ２１）、釣糸が繰出されたならば（ＹＥＳ）、前述したテーブルＮｏ００２の自動棚取りを示唆する発光モード（点滅１）による光表示を行う。
【００４８】
尚、手動棚取りの発光モードの場合は、ステップＳ１１，Ｓ１２，Ｓ２１，Ｓ２２及びＳ３０のステップによるルーチンとなり、初期設定の時に棚設定値を入力させて設定終了後、釣糸の繰出しを検出して、棚取り発光モードにより、棚を光表示により示唆することが釣行毎に繰り返し行われる。
【００４９】
次に、図９に示すフローチャートを参照して、本実施形態における自動釣行経過時間発光モードについて説明する。  
まず、表示画面９ａに表示されたメニュー画面にて、自動釣行経過時間の発光モードを選択すると、以前に設定された釣行経過時間がクリアされて、初期設定される（ステップＳ３１）。次に、直前の釣行経過時間の設定値の有無を判断する（ステップＳ３２）。このステップＳ３２において、今回の釣行における初回の釣行時には、釣行経過時間は設定されていない。
【００５０】
次に、棚取りが完了する（ステップＳ３３）と共に、タイムカウンタ３１のカウントが開始される（ステップＳ３４）。その後、釣糸の巻上げ動作があったか否か判断する（ステップＳ３５）。巻上げ動作の有無は、前述したステップＳ１８と同等でよい。巻上げ動作があった場合には（ＹＥＳ）、カウント開始から釣糸の巻上げ動作が指示されるまでの時間を、直前の釣行経過時間（第２のパラメータ）の設定値として、設定テーブル３２に記憶し（ステップＳ３６）、ステップＳ３２に戻る。
【００５１】
次に、ステップＳ３２において、２回目以降の釣行については、直前の釣行経過時間の設定値があり（ＹＥＳ）、棚取りが完了する（ステップＳ３７）と、タイムカウンタ３１のカウントが開始される（ステップＳ３８）。次に、カウントされた時間が設定された直前の釣行経過時間を超過したか否かを判断する（ステップＳ３９）。設定された経過時間を超過した時に（ＹＥＳ）、帯状光表示部１８，１９の全発光領域が点灯状態から点滅状態（点滅２）となる。
【００５２】
尚、棚取り完了の判断は、例えば、スプールが停止してからの計時により判断する。リール製作時において、例えば、スプール停止後３０秒間と設定する。このように設定した場合、スプール３が停止して３０秒が経過した後、タンマカウンタ３１が３０秒からカウントを開始する。尚、この設定時間は、設計時に設定されるが、パラメータ変更メニューを作成して、ユーザによる変更可能であってもよい。
【００５３】
以上説明した本実施形態は、以下の効果を有している。  
リール本体の外装部の周囲表面に連続する帯状又は不連続な帯状に点灯発光させているため、どのような視角から見てもリール本体の輪郭を視認することができる。よって、釣りを準備している夜明け前や日没後の片付け時や夜釣りなど、周囲が暗い状況下で、視認性の良さからリール本体の大きさ（輪郭）が把握でき、不慮に錘や重量のある物品等をぶつけることを防止できる。
【００５４】
また、液晶パネルの表示面積を大きくして照明光でより明るくしたとしてもリール本体の側方からは視認し難く、ユーザが必要とする情報は原則として、数値表示又は、インジケータ表示であるため、表示画面から読み取らなければならない。  
これに対して、本実施形態の多機能表示装置は、リール本体の外装部の周囲表面に露呈する帯状に配置した光表示部であるため、一目にて、リールの動作状況を把握でき、液晶パネルの表示を読み取る必要がないため、周囲が暗い又は、表示画面が見づらい場合など、特に有用である。
【００５５】
また、棚設定及び釣行経過時間の設定を自動設定として、且つ直前の棚及び釣行時間へ自動的に更新されて設定されるため、従来のユーザによるその都度、最新情報に変更する煩雑な手間が無くなり、釣行に専念することができる。また、前回の魚が釣れた棚を思い出さなくとも、直前の情報が引き継がれているため、リール本体を見ているだけで、同じ棚に再度設定することができる。特に、数値として確認及び記憶する必要が無いため、道糸ライン色や液晶パネルの表示画面が見づらい状況にあっても、容易に棚取りを設定することができる。
【００５６】
さらに、釣り初心者や児童等に教える場合に、最初に指導者がその電動リールを用いて釣りをするところを見せるだけで、その場の状況に合った棚取りや釣行時間が設定できるため、以降は、数値で説明しなくとも光の動きでリールの動作や釣りの状況を明確に指示することができる。
【符号の説明】
【００５７】
１…電動リール、２…リール本体、３…スプール、４…駆動機構、５…外装部、５ａ，５ｂ…側面カバー、５ｃ…前面カバー、６…クラッチ機構、７…手動ハンドル、８…ドラグ調整用ノブ、９…液晶表示部、９ａ…表示画面、１０…操作ボタン、１１…操作スイッチ、１２…窓（開口領域）、１３…クラッチＯＮボタン（クラッチＯＮ切換部材）、１４…クラッチＯＦＦレバー（クラッチＯＦＦ切換部材）、１５…制御ケース、１５ａ…表面カバー、１６…レベルワインド機構、１７…竿取付部、１８，１９…帯状光表示部、１８ａ，１８ｂ，１８ｃ，１９ａ，１９ｂ，１９ｃ…発光領域、２０…フレーム、２１…ＲＯＭ、２２…ＲＡＭ、２３…制御部、２４…糸長計測部、２５…多機能表示装置、３１…タイマカウンタ、３２…設定テーブル、３３…発光制御部。
【図１】
2013013365.tif 000003
【図２】
2013013365.tif 000004
【図３】
2013013365.tif 000005
【図４】
2013013365.tif 000006
【図５】
2013013365.tif 000007
【図６】
2013013365.tif 000008
【図７】
2013013365.tif 000009
【図８】
2013013365.tif 000010
【図９】
2013013365.tif 000011